(57)【特許請求の範囲】
【請求項１】
制御対象機器の設定用スイッチたるディップスイッチを複数有する制御基板に設けられ、制御対象機器に対する所定の設定項目に関する複数の設定値に対応するディップスイッチのオンオフ組合せが表示されたオンオフ組合せ表示ラベルであって、
オンオフ表示ラベルには、（設定値の個数）×（ディップスイッチの個数）に相当する数の複数のマス目が、隙間なく配置された格子状に設けられ、各マス目には、各ディップスイッチのオンオフ状態を、オンオフを切り替えるときのディップスイッチの操作方向に頂点を有する形状が表示されていることを特徴とするオンオフ組合せ表示ラベル。
【請求項２】
前記ディップスイッチのオン状態とオフ状態とが色分けして表示されていることを特徴とする請求項１記載のオンオフ組合せ表示ラベル。
【請求項３】
請求項１又は２記載のオンオフ組合せ表示ラベルに表示されたディップスイッチのオンオフ組合せに従ってディップスイッチのオンオフ設定を行うことを特徴とする制御対象機器の設定方法。
【発明の詳細な説明】
【技術分野】
【０００１】
本発明は、制御対象機器の設定用スイッチたるディップスイッチのオンオフ組合せを表示するオンオフ組合せ表示ラベルとこれを用いた制御対象機器の設定方法に関する。
【背景技術】
【０００２】
従来、制御対象機器では、制御基板がディップスイッチを複数有し、これらのディップスイッチのオンオフ組合せで所定の設定を行うものが知られている（例えば、特許文献１参照）。このような制御対象機器において、これに対する所定の設定内容に対応するディップスイッチのオンオフ組合せを設定内容毎に並べて表示するオンオフ組合せ表示ラベルを制御基板に設けるものも知られている。
【０００３】
このようなオンオフ組合せ表示ラベルでは、一般的に、マス目を格子状に設け、各マス目を２つのスペースに分け、一方のスペースを黒に他方のスペースを白にしてディップスイッチのオン状態を表示し、他方のスペースを黒に一方のスペースを白にしてディップスイッチのオフ状態を表示している。然し、オンオフ組合せ表示ラベルの大きさの制約から、隣り合うマス目の間には隙間がないため、各マス目と各マス目内の２つのスペースの並び方向に隣接するマス目との何れのマス目に属するオンオフ状態を表示しているのかを区別し難く、各マス目の一方のスペースとこれに隣接する他のマス目の他方のスペースとで１つのマス目が構成されていると判断してしまうことがあり、オンオフ状態の表示を誤認しやすい。
【先行技術文献】
【特許文献】
【０００４】
【特許文献１】特開２００８−１９３６００号公報
【発明の概要】
【発明が解決しようとする課題】
【０００５】
本発明は、以上の点に鑑み、ディップスイッチのオンオフ状態の表示を誤認し難くできるようにしたオンオフ組合せ表示ラベルとこれを用いた制御対象機器の設定方法を提供することをその課題としている。
【課題を解決するための手段】
【０００６】
上記課題を解決するために、本発明は、制御対象機器の設定用スイッチたるディップスイッチを複数有する制御基板に設けられ、制御対象機器に対する所定の設定項目に関する複数の設定値に対応するディップスイッチのオンオフ組合せが表示されたオンオフ組合せ表示ラベルであって、オンオフ表示ラベルには、（設定値の個数）×（ディップスイッチの個数）に相当する数の複数のマス目が、隙間なく配置された格子状に設けられ、各マス目には、各ディップスイッチのオンオフ状態を、オンオフを切り替えるときのディップスイッチの操作方向に頂点を有する形状が表示されていることを特徴とする。
【０００７】
本発明によれば、ディップスイッチのオンオフ状態の表示が頂点を有する形状であることで隣り合う表示と明瞭に区別される。そのため、ディップスイッチの操作方向を頂点の位置で認識できることと相俟って、ディップスイッチのオンオフ状態の表示を誤認し難くなる。
【０００８】
また、本発明において、ディップスイッチのオン状態とオフ状態とが色分けして表示されていることが望ましい。これによれば、オン状態の表示とオフ状態の表示との違いを明確にでき、オンオフ状態の表示を認識しやすい。さらに、本発明は、以上のオンオフ組合せ表示ラベルに表示されたディップスイッチのオンオフ組合せに従ってディップスイッチのオンオフ設定を行うことをも特徴とする。
【図面の簡単な説明】
【０００９】
【図１】本発明の実施形態のオンオフ組合せ表示ラベルを備える制御基板を示す図。
【発明を実施するための形態】
【００１０】
図１を参照して、１０は、制御対象機器たる浴室暖房乾燥機のリモコンに設けられた制御基板を示している。制御基板１０には、複数（例えば、８個）のディップスイッチ１〜８が設けられており、ディップスイッチ１〜８のオンオフ組合せで浴室暖房乾燥機に対する各種設定を行うようにしている。ディップスイッチ１〜８は、操作ノブ１ａ〜８ａを右側へ操作することでオンとなり、操作ノブ１ａ〜８ａを左側へ操作することでオフとなるように構成されている。
【００１１】
浴室暖房乾燥機は、常時換気運転（２４時間換気）を行うようになっており、２４時間換気風量の設定用スイッチとしてディップスイッチ６〜８が割り当てられている。そして、ディップスイッチ６〜８のオンオフ組合せを所定の設定値毎に並べて表示するオンオフ組合せ表示ラベル２０が制御基板１０に設けられている。尚、２４時間換気風量は設置状況に応じて設定値を変更すべき設定項目であり、その他の浴室暖房乾燥機に対する設定項目は出荷時に設定する基本的なものであり、その設定項目の設定用スイッチとしてディップスイッチ１〜５が割り当てられている。
【００１２】
オンオフ組合せ表示ラベル２０には、マス目が格子状に設けられている。ここで、オンオフ組合せ表示ラベル２０の大きさの制約から、隣り合うマス目の間には隙間がない。そのため、各ディップスイッチ６〜８のオンオフ状態を隣り合うマス目に属するものと明瞭に区別できるように表示することが望まれる。
【００１３】
そこで、本実施形態では、各ディップスイッチ６〜８のオンオフ状態を、オンオフを切り替えるときのディップスイッチ６〜８の操作ノブ６ａ〜８ａの操作方向に頂点を有する形状（例えば、三角形）でマス目毎に表示している。更に、ディップスイッチ６〜８のオン状態とオフ状態とを色分け（例えば、黒と白）して表示している。即ち、右側に頂点を有する黒色の三角形でディップスイッチ６〜８のオン状態を表示し、左側に頂点を有するように輪郭のみ黒で描いた白色の三角形でディップスイッチ６〜８のオフ状態を表示している。尚、オンオフ組合せ表示ラベル２０は、オンオフ組合せが表示されているものを制御基板１０に貼付するものでも、オンオフ組合せの表示を制御基板１０に印刷するものでもよい。また、図示しないが、２４時間換気風量の設定値がそれに対応するオンオフ組合せの表示の上に表示されている。
【００１４】
本実施形態によれば、ディップスイッチ６〜８のオンオフ状態の表示が頂点を有する形状であることで隣り合うマス目の表示と明瞭に区別される。そのため、ディップスイッチ６〜８の操作方向の頂点の位置で認識できることと相俟って、各ディップスイッチ６〜８のオンオフ状態の表示を誤認し難くなる。更に、色分けすることでオン状態の表示とオフ状態の表示との違いを明確にでき、オンオフ状態を認識しやすい。そして、オンオフ組合せ表示ラベル２０に表示されたディップスイッチ６〜８のオンオフ組合せに従ってディップスイッチ６〜８のオンオフ設定を行う。
【００１５】
以上、本発明の実施形態について図面を参照して説明したが、本発明はこれに限定されない。例えば、上記実施形態では、ディップスイッチ６〜８のオンオフ状態を三角形で表示しているが、例えば四角形の一辺に三角形を組合せた五角形等で表示してもよい。また、制御対象機器は上記実施形態の如き浴室暖房乾燥機に限定されない。
【符号の説明】
【００１６】
１〜８…ディップスイッチ、１０…制御基板、２０…ラベル。
【図１】
0006317274.tif 000002